【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
天井に取付けるように構成されたフレームと、
中心軸周りの回転のために前記フレームに回転可能に結合され、外部円錐台状面を有するドラムと、
前記円錐台状面に沿って伸びているらせん溝と、
前記ドラムの回転にバイアスをかけるために配置されたコイルばねと、
その基端部が前記ドラムに結合されたコードと、
前記コードの先端部がに結合されたヘアドライヤーであって、前記コードが、前記ヘアドライヤーに電力を供給するように構成されており、前記らせん溝が、前記電力コードをその中に巻取り収容するように構成されており、前記電力コードが、前記ヘアドライヤーがそれぞれ上昇され及び低下された際に、前記ばねのバイアスによって及び該バイアスに抗して、巻き取られたり解かれたりするように構成されているおり、前記ドラムが、前記巻取りや解きの間に、軸方向に動くように構成されている、ヘアドライヤーと、
前記解きや巻取りの間に、前記コードがそこを通って前記らせん溝から出たり、該溝に入ったりする軸方向に固定された入口及び出口ポイントであって、前記ばねが、前記軸に対して、前記入口及び出口ポイントと直交して位置合わせされている軸方向に固定した位置で前記ドラムに結合されており、前記ばねが、前記ドラムの軸方向の動きの間に、軸方向に静止したままであるように構成されている、入口及び出口ポイントとを備える
ことを特徴とするマルチエレベーショナルヘアドライヤーサポート。
【請求項２】
動きの範囲に対して、２つの基準点間の重量をオフセットする低抵抗平衡装置であって、前記２つの基準点が、それぞれ、前記重量及び回転軸に対する取付け点を規定する、低抵抗平衡装置であって、
前記回転軸周りに回転するように構成されたドラムと、
前記ドラムに操作可能なように係合して、前記ドラムの回転にバイアスをかけるばねであって、前記ドラムが、その上にらせん経路を画成する面を有する、ばねと、
前記ドラムに、その基端部が結合され、前記重量にその先端部が結合され、ぞそれぞれ前記バイアスによって及び該バイアスに抗して、前記ドラムの回転中に、前記らせん経路に沿って前記ドラム周りに巻き取られたり解かれたりするように構成されたコードと、
前記コードが、前記巻取り及び解きの間に、前記ドラムに係合したり、該ドラムから解かれたりする入口／出口位置であって、前記入口／出口ポイント及び前記ばねが、前記巻取り及び解きの間に、互いに対して軸方向に静止するように構成された、入口／出口位置とを備える装置。
【請求項３】
前記重量がツールである
請求項２に記載の装置。
【請求項４】
前記ツールがヘアドライヤーである
請求項２または３に記載の装置。
【請求項５】
前記ツールが電気かみそりである
請求項２または３に記載の装置。
【請求項６】
前記ドラムの表面が円錐台状である
請求項２ないし５に記載の装置。
【請求項７】
前記ドラムの表面が円筒形である
請求項２ないし５に記載の装置。
【請求項８】
前記らせん経路が、前記円錐台状面内に設けられた溝を備える
請求項６に記載の装置。
【請求項９】
前記入口／出口ポイントが、前記巻取り及び解きの間に、軸方向に静止するように構成されている
請求項２ないし８に記載の装置。
【請求項１０】
前記ばねが、前記巻取り及び解きの間、軸方向に静止したままであるように構成されている
請求項９に記載の装置。
【請求項１１】
前記ばねのドラム係合部分が、前記軸と直交する方向で、前記入口／出口ポイントと位置合わせされている
請求項２ないし１０に記載の装置。
【請求項１２】
前記ドラムと、前記ばねのドラム係合部分との間に配置されたトルクコンバータをさらに備える
請求項１１に記載の装置。
【請求項１３】
前記トルクコンバータが軸方向に固定されている
請求項１２に記載の装置。
【請求項１４】
前記ドラムが、前記トルクコンバータと軸方向に滑動可能に係合されている
請求項１３に記載の装置。
【請求項１５】
前記ばねがトーションねじりばねを備える
請求項２ないし１４に記載の装置。
【請求項１６】
天井への取付け用に構成されたフレームと、
前記フレーム上に設けられ、回転軸を規定する軸と、
前記軸の第１の部分に沿って設けられた低摩擦ロールネジと、
前記軸の他方の部分と同心軸に配置され、ばねサポートと同心軸に設けられたばねを滑動可能に支持するように構成された自己潤滑性外側面を有する、実質的に円滑な低摩擦ばねサポートと、
一体化した自己潤滑性内側ねじ切り穴を有するドラムであって、前記ねじ切り穴が、前記低摩擦ロールねじやまと回転係合可能に設けられており、前記ドラムが、外側円錐台状面を有している、ドラムと、
前記円錐台状面に沿って伸びているらせん経路と、
前記ドラムの回転にバイアスをかけるように設けられたコイルばねであって、前記ばねが、前記ばねサポートと同心状に挿入された第１番目のいくつかのコイルを有し、前記コイルが、互いに軸方向に離間して配置され、前記ドラムの回転中の相互係合がなく、前記らせん経路が、渦巻きの第２番目の回転に対して、前記ドラム周りに伸びている、コイルばねと、
少なくとも１１：１である、前記第１番目のいくつかのコイルと渦巻きの第２番目の回転との比と、
前記ドラムにその基端部が結合されているコードと、
前記コードの先端部に結合されているヘアドライヤーであって、前記コードが、前記ヘアドライヤーに電力を供給するように構成されており、前記らせん経路が、前記コードをその上に巻取り収容するように構成されており、前記コードが、前記ヘアドライヤーがそれぞれ上昇及び低下された際に、前記ばねのバイアスによって及び該バイアスに抗して、巻き取られたり解かれたりするように構成されており、前記サポートが、０．５ポンド（０．２ｋｇ）以下の、前記ヘアドライヤーの高さ方向の動きに対抗する牽引力を有する、ヘアドライヤーとを備える
ことを特徴とする低抵抗マルチエレベーショナルヘアドライヤーサポート。
【請求項１７】
前記ドラムが、前記巻取りや解きの間に、軸方向に移動するように構成されている
請求項１６に記載の装置。
【請求項１８】
前記コードが、前記解きや巻き取りの間に、そこを通って前記らせん経路から出たり、該らせん経路に入ったりする、軸方向に固定された入口及び出口ポイントを備える
請求項１７に記載の装置。
【請求項１９】
前記らせん経路がらせん溝を備える
請求項２ないし１８に記載の装置。
【請求項２０】
前記ばねが、前記軸に対して前記入口及び出口ポイントと直交して位置合わせされている軸方向に固定された位置で、前記ドラムに結合されている
請求項１８または１９に記載の装置。
【請求項２１】
前記ばねが、前記ドラムの軸方向の動きの間、軸方向に静止したままであるように構成されている
請求項２０に記載の装置。
【請求項２２】
前記ばねが、前記巻取り及び解きの間に、軸方向に動くように構成されている
請求項１６に記載の装置。
【請求項２３】
前記ばねが、前記巻取り及び解きの間に、軸方向に伸びかつ収縮するように構成されている
請求項２２に記載の装置。
【請求項２４】
前記ばねが、前記巻取りの間に軸方向に伸び、かつ前記解きの間に軸方向に収縮するように構成されている
請求項２３に記載の装置。
【請求項２５】
前記第１番目のコイルと渦巻きの第２番目の回転との比が、３０：１までである
請求項１６ないし２４に記載の装置。
【請求項２６】
２つの基準点間の重量を、動きの範囲に対してオフセットする方法であって、該２つの基準点が、それぞれ、該重量及び回転軸に対する取付け点を規定する方法であって、
（ａ）前記回転軸周りに回転するようにドラムを構成することと、
（ｂ）前記ドラムに、ばねを操作可能に係合して、前記ドラムの回転にバイアスをかけることと、
（ｃ）その上にらせん経路を画成する表面を設けることと、
（ｄ）前記コードの基端部を前記ドラムに結合することと、
（ｅ）前記重量への結合のために、前記コードの先端部を構成することと、
（ｆ）それぞれ、前記バイアスによって、および該バイアスに抗して、前記ドラムの回転中に前記らせん経路に沿って、前記ドラム周りに巻き取られたり、解かれたりするように前記コードを構成することと、
（ｇ）前記コードが、前記巻取り及び解きの間に、前記ドラムに係合したり、該ドラムから解かれたりする入口／出口位置を設けることと、
（ｈ）前記巻取り及び解きの間に、互いに対して軸方向に静止するように、前記入口／出口ポイントおよび前記ばねを構成することとを含む
ことを特徴とする方法。
【請求項２７】
中心軸周りに回転するように配置されたドラムと、
前記ドラムの回転にバイアスをかけるように設けられたコイルばねと、
その基端部が前記ドラムに結合されたコードと、
前記コードの先端部に結合されたヘアドライヤーであって、前記コードが、前記ヘアドライヤーに電力を供給するように構成されており、前記ドラムが、該ドラム周りに前記電力コードを巻取り収容するように構成されており、前記電力コードが、前記ヘアドライヤーがそれぞれ上昇及び下降される際に、前記ばねのバイアスによって、及び該バイアスに抗して、巻き取られたり解かれたりするように構成されており、前記ドラムが、前記巻取りや解きの間に、軸方向に動くように構成されている、ヘアドライヤーと、
前記コードが、前記巻取りや解きの間に、そこを通って前記らせん溝から出たり、該溝に入ったりする、軸方向に固定された入口及び出口ポイントであって、前記ばねが、前記軸に対して、前記入口及び出口ポイントと直交して位置合わせされている軸方向に固定された位置で前記ドラムに結合されており、前記ばねが、前記ドラムの軸方向の動きの間、軸方向に静止したままであるように構成されている、入口及び出口ポイントとを備える
ことを特徴とするマルチエレベーショナルヘアドライヤーサポート。
【請求項２８】
前記ドラムを回転支持するように構成されたフレームを備える、
請求項２７に記載のサポート。
【請求項２９】
前記ドラムが、外部円錐台状面を含み、
らせん溝が、前記円錐台状面に沿って伸びており、
前記らせん溝が、前記電力コードをその中に巻取り収容するように構成されている
請求項２７または２８に記載のヘアドライヤーサポート。
【請求項３０】
前記ばねに結合され、前記ツール及びコードの重量の０％から、前記ツール及びコードの重量の１００％までの範囲で、前記バイアスを調節するように構成されているテンションアジャスタをさらに備える
請求項３ないし２５、または２７ないし３０に記載の装置。
【請求項３１】
前記ドラムが、前記ツールを係合使用するユーザによって、手動で巻き取られ及び解かれるように構成されている
請求項３０に記載の装置。
【請求項３２】
前記ドラムを自動的に巻き取り及び解くように構成されたモータアセンブリをさらに備える
請求項３０に記載の装置。
【請求項３３】
前記コードが、前記ツールに電力を供給するように構成されている
請求項３ないし２５、または２７ないし３２に記載の装置。
【請求項３４】
前記ツールが、前記装置の動作中に、動きに関する６つの自由度を有するように構成されている
請求項３ないし２５、または２７ないし３３に記載の装置。
【請求項３５】
前記ばねの張力を調節するように構成されたモータアセンブリをさらに備える
請求項２ないし２５、または２７ないし３４に記載の装置。
【請求項３６】
前記ヘアドライヤーを遠隔的にオンオフするスイッチをさらに備える
請求項４ないし２５、または２７ないし３５に記載の装置。
【請求項３７】
前記コード上の磁気ストップをさらに備える
請求項２ないし２５、または２７ないし３６に記載の装置。
【請求項３８】
前記磁気ストップが、前記コード上のその位置に関して滑動調節可能である
請求項３７に記載の装置。
【請求項３９】
自動電源スイッチを備える
請求項３３ないし３８に記載の装置。
【請求項４０】
前記自動電源スイッチは、前記ツールが、前記動きの範囲内の所定の位置から移動したとき及び該所定の位置に移動したときに、電源をそれぞれオンオフするように構成されている
請求項３９に記載の装置。
【請求項４１】
前記コードが、前記ツールに電力を供給するように構成されている
請求項３３ないし４０に記載の装置。
【請求項４２】
中心軸周りに回転するように設けられたドラムと、
前記ドラムの回転にバイアスをかけるように設けられたコイルばねと、
その基端部が、前記ドラムに結合されたコードと、
前記コードの先端部に結合されたツールであって、前記コードが、前記ツールに電力を供給するように構成されており、前記ドラムが、前記電力コードをその周囲に巻取り収容するように構成されており、前記コードが、前記ツールがそれぞれ上昇及び降下される際に、前記ばねのバイアスによって、および該バイアスに抗して、巻き取られたり解かれたりするように構成されており、前記ドラムが、前記巻取り及び解きの間に、軸方向に動くように構成されている、ツールと、
前記巻取り及び解きの間に、前記コードがそこを通って、前記ドラムに係合したり該ドラムから解かれたりする軸方向に固定された入口及び出口ポイントであって、前記ばねが、前記軸に対して、該入口及び出口ポイントと直交して位置合わせされている軸方向に固定された位置で前記ドラムに結合されており、前記ばねが、前記ドラムの軸方向の動きの間、軸方向に静止したままであるように構成されている、入口及び出口ポイントとを備える
ことを特徴とするマルチエレベーショナルツールサポート。
【請求項４３】
中心軸周りに回転するように設けられたドラムと、
前記ドラムの回転にバイアスをかけるように設けられたコイルばねと、
その基端部が前記ドラムに結合されたコードと、
前記コードの先端部がに結合されたツールであって、前記コードが、前記ツールに電力を供給するように構成されており、前記ドラムが、前記電力コードをその周囲に巻取り収容するように構成されており、前記コードが、前記ツールがそれぞれ上昇及び降下される際に、前記ばねのバイアスによって及び該バイアスに抗して、巻取られたり、解かれたりするように構成されており、前記ドラムが、前記巻取り及び解きの間に、軸方向に動くように構成されている、ツールと、
前記コードが、前記解き及び巻取りの間に、そこを通って、前記ドラムに係合したり、該ドラムから解かれたりする軸方向に固定された入口及び出口ポイントであって、前記ばねが、前記ドラムに結合されており、前記ばねが、前記ドラムの軸方向の動きの間、軸方向に静止したままであるように構成されている、入口及び出口ポイントとを備える
ことを特徴とするマルチエレベーショナルツールサポート。
【請求項４４】
フレームと、
前記フレーム上に配置され、回転軸を規定する軸と、
前記軸の第１の部分に沿って形成された低摩擦ねじやまと、
前記軸の他の部分と同心軸に設けられ、それと共に同心軸に設けられたばねを滑動可能に支持するように構成された自己潤滑性外側面を有するばねサポートと、
自己潤滑性内側ねじ切り穴を有するドラムであって、前記ねじ切り穴が、前記低摩擦ねじやまと回転係合するように設けられており、前記ドラムが、その上に伸びるらせん経路のために設けられた外側面を有する、ドラムと、
前記ドラムの回転にバイアスをかけるように設けられたコイルばねであって、前記ばねが、前記ばねサポートと同心軸に挿入配置された第１番目のいくつかのコイルを有し、前記らせん経路が、渦巻きの第２番目の回転のために前記ドラムの周りに伸びている、コイルばねと、
少なくとも１１：１である、前記第１番目のいくつかのコイルと前記渦巻きの第２番目の回転との比と、
その基端部が前記ドラムに結合されたコードと、
その先端部が前記コードの先端部に結合されたツールであって、前記らせん経路が、前記コードをその上に巻取り収容するように構成されており、前記コードが、前記ツールがそれそぞれ上昇及び降下される際に、前記ばねのバイアスによって、及び該バイアスに抗して、巻き取られたり解かれたりするように構成されており、前記サポートが、０．５ポンド（０．２ｋｇ）以下の、前記ツールの高さ方向の動きに対抗する牽引力を有している、ツールとを備える
ことを特徴とする低抵抗マルチエレベーショナルツールサポート。